(57)【要約】【課題】  従来の技術は、被展示物をまとめてロックする盗難防止装置である、また、個々に取り付けるものですがシャフトのみに取り付け、リール竿に取り付けるものではなく、かつ、共振具を有しておらず、盗難防止レベルが高くない。【解決手段】  リール等のリール取付具に着脱自在に取り付けるもので、共振具を内設してなる上カバーの両側に、ツメ片を穿設し、リール竿のハンドル部に当着する下カバーを上カバーの下面に設けると共に、下カバーに一端を固定し、他端を出し入れ自在に形成したリール竿を抱持するバンドを設け、他端を所要位置にて固定する固定具を設けてなることを特徴とする。【選択図】図１
2013220343.tif 000002
【特許請求の範囲】
【請求項１】
リール等のリール取付具に着脱自在に取り付けるもので、共振具を内設してなる上カバーの両側にツメ片を穿設し、リール竿のハンドル部に当着する下カバーを上カバーの下面に設けると共に、下カバーに一端を固定し、他端を出し入れ自在に形成したリール竿を抱持するバンドを設け、他端を所要位置にて固定する固定具を設けてなることを特徴とするリール竿用盗難防止具。
【請求項２】
バンドの他端をノコギリ状の係止溝とし、この係止溝に係止するストッパーを磁石にて作動させることを特徴とする請求項１記載のリール竿用盗難防止具。
【発明の詳細な説明】
【技術分野】
【０００１】  本発明は、主にリール竿のリール取付具に取り付けて使用するリール竿用盗難防止具に関するものである。
【背景技術】
【０００２】  背景技術としては、特許文献やカタログ等を調査した結果、同様なものはないように思われ、よって、従来技術として、ゴルフクラブの盗難防止具を説明する。【０００３】  支持バーと、この支持バーの端部に設けた取付ブラケットと、上記支持バーに取り付けた又は複数の被展示物吊持ち用のフック部材とを備え、上記取付ブラケットを介して上記支持バーを展示場に保持させ、上記フック部材に上記被展示物を吊持ちさせて展示する展示装置において、上記支持バーの一端側に基端部を支点として回転自在に取り付けられる押さえフレームと、この押さえフレームの先端部に設けられるストップピンと、上記支持バーの他端側に形成されて上記ストップピンを着脱自在に挿入する孔と、上記支持バーに設けられて上記ストップピンを上記孔から抜け出ることを防止するロック機構とを設け、当該押さえフレームで上記被展示物の上下方向への抜けを防止するものがある。（特許文献１参照）【０００４】  また、回動自在且つ開閉可能に連結され、ゴルフクラブのシャフトの一部分を挾持する閉鎖位置とシャフトから離間してシャフトを開放する開放位置とに亘って回動自在な一対のケース状の挾持体と、両挾持体内に設けられ、両挾持体を閉鎖位置でロック機構とから構成するものがある。（特許文献２参照）
【先行技術文献】
【特許文献】
【０００５】
【特許文献１】特開２０１１−５０４８３号公報
【特許文献２】特開平１１−１３７７３０号公報
【発明の概要】
【発明が解決しようとする課題】
【０００６】  上記前者は、被展示物（ゴルフクラブ）をまとめてロックする盗難防止装置であり、本発明のような個々に取り付けるものとは基本的に異なるものである。【０００７】  上記後者は、ゴルフクラブの個々に取り付けるものですがシャフトのみに取り付け、本発明のようにリール竿に取り付けるものではなく、かつ、共振具を有しておらず、盗難防止レベルが高くない。【０００８】  本発明は、このような従来の構成が有していた問題を解決しようとするもので、リール竿のリール取付具に取り付けるリール竿用盗難防止具であって、容易に取り外しができず、高いセキュリティ効果を得ることのできるリール竿用盗難防止具を提供することを目的とする。
【課題を解決するための手段】
【０００９】  本発明は、上記目的を達成するために、リール等のリール取付具に着脱自在に取り付けるもので、共振具を内設してなる上カバーの両側にツメ片を穿設し、リール竿のハンドル部に当着する下カバーを上カバーの下面に設けると共に、下カバーに一端を固定し、他端を出し入れ自在に形成したリール竿を抱持するバンドを設け、他端を所要位置にて固定する固定具を設けてなること。バンドの他端をノコギリ状の係止溝とし、この係止溝に係止するストッパーを磁石にて作動させることを特徴とする。
【発明の効果】
【００１０】１）、ツメ片をリール竿のリール取付具に取り付けることにより専用品（盗難防止具）として、強固に固定できる。
２）、バンドにて、リール竿を抱持して取り付けることにより、より一層強固に固定できる。
３）、共振具を内設することにより、店の出入口に接地した検知器にて盗難を防止できる。
４）、バンドの固定を解除するには、特定の位置に、強力な磁石を近づけることにより解除することができる。
５）、上ケースと下ケースを着脱自在に形成することにより、共振具の取り替え等ができるものである。
【図面の簡単な説明】
【００１１】
【図１】  本発明の一実施例を示すリール竿用盗難防止具の正面図。
【図２】  本発明の一実施例を示すリール竿用盗難防止具の平面図。
【図３】  本発明の一実施例を示すリール竿用盗難防止具の底面図。
【図４】  本発明の一実施例を示すリール竿用盗難防止具の左側面図。
【図５】  本発明の一実施例を示すリール竿用盗難防止具のＡ−Ａ線断面図。
【図６】  本発明の一実施例を示すリール竿用盗難防止具のＢ−Ｂ線断面図。
【図７】  本発明の一実施例を示すリール竿用盗難防止具の使用状態図。
【発明を実施するための形態】
【００１２】  １は、リール竿のリール取付具に着脱自在に取り付けるリール竿用盗難防止具である。
２は、上カバーで、内部に共振コイルによる共振具Ｋを内設してなると共に、両側に上面及び下面を円弧状に形成したツメ片３を突設してなる。
４は、下カバーで、リール竿に当着すべく、下面を円弧状に形成してなる。
５は、バンドで、下カバー４の内部に一端を固定し、他端をノコギリ状の係止溝５ａを形設し、取付片５ｂにて、出し入れ自在に形成してある。
６は、係止溝５ａに係止するストッパーで、係止板６ａとスプリング６ｂより構成し、強力な磁石をスプリング６ｂの上方に近づけることにより、係止板６ａが係止溝５ａより外れるものである。（図１〜図６参照）
【００１３】  リール竿用盗難防止具１の使用例について下記に述べる。
店内に陳列してあるリール竿ＲＳのハンドル部ＨＤの取付具ＴＧ・ＴＧにリール竿用盗難防止具１のツメ片３・３を差し込み、固定する。（下カバー４が当着）
つづいて、バンド５の他端の係止溝５ａを上ケース２内に挿入し、係止溝５ａに係止板６ａが係止し、固定される。
つまり、バンド５をハンドル部ＨＤに抱持固定させる。
この状態で、このリール竿ＲＳを店外に持ち出そうとしても、出口に設けた検知器（図示せず）にて、内設した共振具Ｋが反応（音を出す）することにより盗難を防止できるものである。
なお、通常は、レジ（図示せず）にて強力磁石Ｇをストッパー６のスプリング６ｂに近づけることにより、係止板６ａが上昇し、係止溝５ａより外れ、下方へ引き出すと共に、取付具ＴＧを緩めてリール竿用盗難防止具１をリール竿ＲＳより取り外し、再使用できるものである。（図６・図７参照）
【００１４】  上記実施例において、上ケースや下ケースの大きさや材質等、特に限定するものではない。
また、バンドも大きさや材質にこだわらない。
さらに、共振具を共振コイル以外のタグ等も考えられる。
さらにまた、ストッパーの形態も同様な機能であれば特に限定しない。
【符号の説明】
【００１５】  １−−−−リール竿用盗難防止具
２−−−−上カバー
３−−−−ツメ片
４−−−−下カバー
５−−−−バンド
６−−−−ストッパー
ＲＳ−−−−リール竿
ＴＧ−−−−取付具
Ｇ−−−−磁石
【図１】
2013220343.tif 000003
【図２】
2013220343.tif 000004
【図３】
2013220343.tif 000005
【図４】
2013220343.tif 000006
【図５】
2013220343.tif 000007
【図６】
2013220343.tif 000008
【図７】
2013220343.tif 000009